(57)【要約】【課題】複数の画像を一つの表示画面に表示する場合においてその画像の細部を確認しやすく表示画面を分割する技術を提供すること。【解決手段】表示部の表示画面を分割するための分割形状および境界線をユーザからの指示に基づいて特定する（Ｓ１１０、Ｓ１２０）。上述の分割形状および境界線に基づき、表示したままとする領域を特定する（Ｓ１３０）。そして、表示部に表示させる表示画像をレイヤＡに描画された画像から取得し、スイッチ部から入力された合成用領域情報に基づき、そのまま表示させる領域および合成用領域を表示画像に設定するともに、表示画像に設定された合成用領域へ合成するための合成用画像をレイヤＢに描画された画像から取得し、表示画像に設定された合成用領域へ合成用画像を合成することにより新たな表示画像を生成する（Ｓ１４０）。【選択図】図５
2006039953.tif 000002
【特許請求の範囲】
【請求項１】
表示画面に表示させる表示画像を取得可能な表示画像取得手段と、
ユーザが所望する任意な形状の画像を前記表示画像に合成するための合成用領域を特定する合成用領域情報を取得可能な合成用領域情報取得手段と、
前記合成用領域情報取得手段によって取得された合成用領域情報に基づき、前記合成用領域を前記表示画像に設定する合成用領域設定手段と、
前記合成用領域設定手段によって前記表示画像に設定された前記合成用領域へ合成するための合成用画像を取得可能な合成用画像取得手段と、
前記合成用画像取得手段によって取得された合成用画像を前記表示画像に設定された前記合成用領域へ合成することにより表示画像を新たに生成する表示画像生成手段と、
を備えることを特徴とする画像合成装置。
【請求項２】
請求項１に記載の画像合成装置において、
前記合成用領域情報取得手段は、前記表示画像上にユーザによって指定された任意な線分の両端を前記表示画像の外周まで延長した線分によって分割された前記表示画像の一方を前記合成用領域とする旨の情報を前記合成用領域情報として取得可能であることを特徴とする画像合成装置。
【請求項３】
請求項１または請求項２に記載の画像合成装置において、
前記合成用領域情報取得手段は、前記表示画像上にユーザによって指定された任意な形状の領域を前記合成用領域とする旨の情報を前記合成用領域情報として取得可能であることを特徴とする画像合成装置。
【請求項４】
請求項１〜請求項３の何れかに記載の画像合成装置において、
前記表示画像取得手段は、前記表示画像生成手段によって生成された表示画像を取得可能であり、
前記合成用領域情報取得手段は、前記表示画像生成手段によって生成された表示画像上にユーザが所望する任意な形状の画像を新たに合成するための合成用領域を特定する合成用領域情報を取得可能であり、
前記合成用領域設定手段は、前記合成用領域情報取得手段によって合成用領域情報が新たに取得された場合には、その新たに取得された合成用領域情報に基づき、前記表示画像取得手段によって取得された表示画像に合成用領域を新たに設定し、
前記合成用画像取得手段は、前記合成用領域設定手段によって前記表示画像に新たに設定された合成用領域へ合成するための合成用画像を新たに取得し、
前記表示画像生成手段は、前記合成用画像取得手段によって新たに取得された合成用画像を前記表示画像取得手段によって取得された表示画像に新たに設定された合成用領域へ合成することにより新たな表示画像を生成すること
を特徴とする画像合成装置。
【請求項５】
請求項１〜請求項４の何れかに記載の画像合成装置において、
前記合成用画像取得手段は、
前記合成用領域設定手段によって前記表示画像に設定された合成用領域のうち過去に合成用画像が合成された部分に合成するための合成用画像を、その過去に合成された合成用画像の次に前記表示画像に合成された合成用画像を含む画像から取得し、
前記合成用領域設定手段によって前記表示画像に設定された合成用領域のうち過去に合成用画像が合成されていない部分に合成するための合成用画像を、前記表示画像に最初に合成された合成用画像を含む画像から取得すること
を特徴とする画像合成装置。
【請求項６】
請求項１〜請求項５の何れかに記載の画像合成装置において、
前記合成用領域情報取得手段は、ユーザによる合成用画像を変更する旨の情報を取得可能であり、
前記合成用画像取得手段は、前記合成用領域情報取得手段によって合成用画像を変更する旨の情報が取得された場合には、その情報に基づいて新たな合成用画像を取得し、
前記表示画像生成手段は、前記合成用画像取得手段によって取得された新たな合成用画像を前記表示画像に設定された合成用領域へ合成することにより新たな表示画像を生成すること
を特徴とする画像合成装置。
【請求項７】
請求項１〜請求項６の何れかに記載の画像合成装置において、
前記表示画像生成手段は、前記表示画像が当該画像合成装置を携帯または搭載する移動物体の現在位置を含む地図情報を示す地図画像である場合において前記表示画像における前記合成用領域内に前記移動物体の現在位置が含まれるときには、前記地図画像のうち前記移動物体の現在位置が含まれる部分を前記表示画像取得手段によって取得させ、その取得した画像を前記表示画像における合成用領域以外の領域へ合成することにより表示画像を新たに生成すること
を特徴とする画像合成装置。
【請求項８】
請求項１〜請求項７の何れかに記載の画像合成装置において、
前記表示画像生成手段は、前記合成用画像取得手段によって取得された合成用画像が当該画像合成装置を携帯または搭載する移動物体の現在位置を含む地図情報を示す地図画像の一部である場合において前記合成用画像に前記移動物体の現在位置が含まれないときには、前記地図画像のうち前記移動物体の現在位置が含まれる部分を前記合成用画像取得手段によって前記合成用画像として再取得させ、その再取得した合成用画像を前記表示画像に設定された合成用領域へ合成することにより表示画像を新たに生成すること
を特徴とする画像合成装置。
【請求項９】
請求項１〜請求項８の何れかに記載の画像合成装置における各手段と、
前記画像合成装置における表示画像生成手段によって生成された表示画像を表示可能な画像表示手段と、
前記表示画像生成手段によって生成された表示画像を前記画像表示手段に表示させる画像表示制御手段と、
を備えることを特徴とするディスプレイ装置。
【請求項１０】
請求項９に記載のディスプレイ装置において、
当該ディスプレイ装置が搭載された車両の状況を取得可能な車両状況取得手段を備え、
前記画像表示制御手段は、前記車両状況取得手段によって取得された車両状況に基づいて、前記表示画像生成手段によって合成された表示画像を前記画像表示手段に表示させる分割表示モードと前記合成用画像を合成する以前の表示画像を単独で前記画像表示手段に表示させる非分割表示モードとの間で表示モードを切り替えること
を特徴とするディスプレイ装置。
【請求項１１】
請求項１〜請求項８の何れかに記載の画像合成装置における各手段と、
現在位置を特定する位置特定手段と、
地図データを取得可能な地図データ取得手段と、
目的地を設定する目的地設定手段と、
前記位置特定手段によって特定された現在位置から前記目的地設定手段によって設定された目的地へ向かう経路を、前記地図データ取得手段によって取得された地図データに基づいて計算する経路計算手段と、
前記経路計算手段によって計算された経路を案内する経路案内手段と、
を備え、
前記画像合成装置における表示画像生成手段は、前記経路計算手段によって計算された経路を含む道路地図を示す地図画像を前記表示画像または前記合成用画像の何れかとして表示画像生成に利用すること
を特徴とするナビゲーションシステム。
【発明の詳細な説明】
【技術分野】
【０００１】
本発明は、複数の画像を一つの表示画面に表示する場合においてその画像の細部を確認しやすく表示画面を分割する技術に関する。
【背景技術】
【０００２】
自動車の走行に伴って移動していく現在位置をモニタ上に道路地図と共に表示したり、現在地から目的地までの適切な経路を設定し、経路案内を行うナビゲーション装置が知られており、より円滑なドライブに寄与している。
【０００３】
このようなナビゲーション装置の中には、モニタにおける表示画面を左右や上下などに２分割し、例えば分割された表示画面の一方にナビゲーション装置のメニュー画面を表示し、他方に道路地図を表示するといった具合に複数の画像を表示するものがある（例えば、特許文献１参照。）。ここで、モニタの表示画面を左右に２分割する処理の例について説明する。まず、タッチパネルと一体に形成されたモニタ上の任意点を指で触れ、その触れた点を基点にそのままＹ軸方向に沿って指でなぞる。すると、ナビゲーション装置の制御部が、モニタ上の初めに指で触れた点を通りＸ軸に直交する直線を描画してモニタの表示画面を左右に２分割する。また、モニタの表示画面を上下に２分割する処理についても同様である。すなわち、タッチパネルと一体に形成されたモニタ上の任意点を指で触れ、その触れた点を基点にそのままＸ軸方向に沿って指でなぞる。すると、ナビゲーション装置の制御部が、モニタ上の初めに指で触れた点を通りＹ軸に直交する直線を描画してモニタの表示画面を上下に２分割する。そして、制御部が、分割前の表示画面に表示していた画像を分割後の表示画面の一方に表示させ、分割後の表示画面の他方には例えば道路地図やオーディオシステムからのメニュー画面などを表示させる。
【特許文献１】特開２００３−３２３２５８号公報（第７頁、図５）
【発明の開示】
【発明が解決しようとする課題】
【０００４】
しかし、上述のようなナビゲーション装置においては、次のような理由により、現在位置と目的地とを結ぶ経路の細部など、分割後の表示画面に表示した画像の細部が確認しにくくなるといった問題があった。すなわち、例えば現在位置と目的地とを結ぶ経路を含む道路地図を表示しているモニタの表示画面を左右や上下に分割する場合には、上述のようにＸ軸やＹ軸に直交する直線によって表示画面を２分割しているため、分割後の各表示画面は方形となる。例えば当該ナビゲーション装置が搭載されている車両の進行方向が北方向であり、車両の進行方向が上側となるように表示する場合において、現在位置から目的地へ向かう方角が北西であるときには、現在位置と目的地とを結ぶ経路が、表示画面の左下隅から右上隅へ描画される。このような場合、上述の経路を避けるように表示画面を左右や上下に分割すると、分割後の他方の表示画面が著しく小さくなり、その表示内容を確認しにくくなるおそれがあった。このようなことを防止するために上述の経路と分割線とが交差するように表示画面を左右や上下に分割すると、上述の経路を分割後の表示画面の一方に表示させるためには、その道路地図をより大きく縮尺して表示する必要があり、その結果上述の経路がそれまでよりも小さく表示されてその細部が確認しにくくなるといった問題があった。
【０００５】
なお、このようなことは上述のナビゲーション装置に限られず、その表示画面を左右や上下に分割して複数の画像を表示するディスプレイ装置においても同様の問題が生じていた。また、このようなことは上述のような現在位置と目的地とを結ぶ経路を含む道路地図を表示する場合に限られず、ナビゲーション装置のメニュー画面など他の画面を表示する場合においても同様の問題が生じていた。
【０００６】
本発明は、このような不具合に鑑みなされたものであり、その目的とするところは、複数の画像を一つの表示画面に表示する場合においてその画像の細部を確認しやすく表示画面を分割する技術を提供することにある。
【課題を解決するための手段】
【０００７】
上記課題を解決するためになされた請求項１に係る画像合成装置は、複数の画像を一つの表示画面に表示する場合には、予め設定された形態ではなくユーザが所望する形態で表示画面を分割することを特徴とする。
【０００８】
具体的には、表示画像取得手段（５：この欄においては、発明に対する理解を容易にするため、必要に応じて「発明を実施するための最良の形態」欄で用いた符号を付すが、この符号によって請求の範囲を限定することを意味するものではない。）が、表示画面に表示させる表示画像を取得可能であり、合成用領域情報取得手段（７）が、合成用領域情報を取得可能である。ここで、「合成用領域情報」とは、ユーザが所望する任意形状の画像を表示画像に合成するための合成用領域を特定する情報を云う。この合成用領域情報取得手段によって合成用領域情報が取得された場合には、合成用領域設定手段（５）が、その合成用領域情報に基づき、合成用領域を表示画像に設定する。また、合成用画像取得手段（５）が、合成用領域設定手段によって表示画像に設定された合成用領域へ合成するための合成用画像を取得可能であり、この合成用画像取得手段によって合成用画像が取得された場合には、表示画像生成手段（５）が、合成用画像取得手段によって取得された合成用画像を、表示画像に設定された合成用領域へ合成することにより新たな表示画像を生成する。
【０００９】
従来のナビゲーション装置では、複数の画像を一つの表示画面に表示する場合には、モニタにおける表示画面を左右や上下などに２分割していたため、例えば分割された表示画面の一方にナビゲーション装置のメニュー画面を表示し、他方に道路地図を表示する際には、現在位置と目的地とを結ぶ経路の細部など、分割後の表示画面に表示した画像の細部が確認しにくくなるといった問題があった。これに対して本発明によれば、複数の画像を一つの表示画面に表示する場合には、予め設定された形態ではなくユーザが所望する形態で表示画面を分割するので、例えば現在位置と目的地とを結ぶ経路の細部などのユーザが表示させたい対象に合わせて表示画面を分割でき、分割された表示画面に表示された画像の細部が確認しやすくなることが期待できる。
【００１０】
上述の合成用領域情報の具体例としては、（イ）表示画像上にユーザによって指定された任意な線分の両端を表示画像の外周まで延長した線分によって分割された表示画像の一方を合成用領域とする旨の情報 (請求項２)や、（ロ）表示画像上にユーザによって指定された任意な形状の領域を合成用領域とする旨の情報(請求項３)などが挙げられる。なお、上述の任意な形状の領域については、例えば三角形や矩形などの多角形や、円形、楕円などを外枠とする領域が考えられる。
【００１１】
また、上述の合成用領域情報取得手段については、上述のような情報をユーザからの指示として受け付けることが考えられる。また、上述のような情報をユーザからの指示として受け付けた場合に記憶手段に一旦記憶させておき、必要時に読み出すようにしてもよい。さらに、合成用領域情報取得手段については、例えばタッチパネルと表示画面(画像表示手段)とが一体となった表示装置として構成することが考えられる。
【００１２】
なお、上述の表示画像および合成用画像については、例えば静止画像でもよいし、動画でもよい。また、上述の表示画像または合成用画像については、アナログ画像信号によって構成されるアナログ画像でもよいし、デジタル画像信号によって構成されるデジタル画像でもよい。
【００１３】
ところで、上述のように２つに分割された表示画面に、例えばナビゲーション装置のメニュー画面、および現在位置から目的地までの経路を含む道路地図をそれぞれ表示させている場合において、例えばエアコンの設定を変更するためにエアコンのメニュー画面を表示させたいときがある。このようなときには、上述のナビゲーション装置のメニュー画面または道路地図の何れかを消去してエアコンのメニュー画面を表示させる必要がある。
【００１４】
そこで、上述のように合成用画像を合成した表示画像に対して合成用領域を再び設定し、その設定された合成用領域へ新たに取得した合成用画像を当て嵌めることにより表示画像に対して合成用画像を合成することが考えられる。具体的には、請求項４のように、表示画像取得手段が、表示画像生成手段によって生成された表示画像を取得可能であり、合成用領域情報取得手段が、表示画像生成手段によって生成された表示画像上にユーザが所望する任意な形状の画像を新たに合成するための合成用領域を特定する合成用領域情報を取得可能である。この合成用領域情報取得手段によって合成用領域情報が新たに取得された場合には、合成用領域設定手段が、その新たに取得された合成用領域情報に基づき、表示画像取得手段によって取得された表示画像に合成用領域を新たに設定し、合成用画像取得手段が、合成用領域設定手段によって表示画像に新たに設定された合成用領域へ合成するための合成用画像を新たに取得する。そして、表示画像生成手段が、合成用画像取得手段によって新たに取得された合成用画像を、表示画像取得手段によって取得された表示画像に新たに設定された合成用領域へ合成することにより新たな表示画像を生成する。
【００１５】
このことにより、必要に応じて表示画面の分割数を増加させることによってそれまで表示していた画面を消去することなく新たな画面を追加表示することができ、ユーザの利便性を向上させることができる。
【００１６】
なお、上述のように新たに取得した合成用画像を合成用領域へ一律的に合成する代わりに、次のようにすることが考えられる。すなわち、（ハ）合成用画像取得手段が、合成用領域設定手段によって表示画像に設定された合成用領域のうち過去に合成用画像が合成された部分に合成するための合成用画像を、その過去に合成された合成用画像の次に表示画像に合成された合成用画像を含む画像から取得することが考えられる。また、（ニ）合成用画像取得手段が、合成用領域設定手段によって表示画像に設定された合成用領域のうち過去に合成用画像が合成されていない部分に合成するための合成用画像を、表示画像に最初に合成された合成用画像を含む画像から取得することが考えられる(請求項５)。
【００１７】
このようにしても、上述のように必要に応じて表示画面の分割数を増加させることによってそれまで表示していた画面を消去することなく新たな画面を追加表示することができ、ユーザの利便性を向上させることができる。
【００１８】
ところで、例えばテレビ画面を表示画面に表示させている場合において、オーディオの音量を変更するために表示画面への表示内容をテレビ画面からオーディオのメニュー画面へ変更させたいときがある。そこで、表示する合成用画像をユーザの指示により変更することが考えられる。具体的には、請求項６のように、合成用領域情報取得手段が、ユーザによる合成用画像を変更する旨の情報を取得可能であり、この合成用領域情報取得手段によって合成用画像を変更する旨の情報が取得された場合には、合成用画像取得手段が、その情報に基づいて新たな合成用画像を取得する。そして、表示画像生成手段が、合成用画像取得手段によって取得された新たな合成用画像を、表示画像に設定された合成用領域へ合成することにより新たな表示画像を生成することが考えられる。このようにすれば、表示画面への表示内容を変更することができ、ユーザの利便性を向上させることができる。
【００１９】
ところで、当該画像合成装置を携帯または搭載した移動物体の現在位置を含む道路地図を表示させる場合には、移動物体が移動することにより移動物体の現在位置が表示画面から外れることがある。そこで、移動物体の現在位置が表示画面から外れた場合には、表示画面内に移動物体の現在位置が含まれるよう調整することが考えられる。具体的には、（ホ）表示画像が当該画像合成装置を携帯または搭載する移動物体の現在位置を含む地図情報を示す地図画像である場合において表示画像における合成用領域内に移動物体の現在位置が含まれるときには、表示画像生成手段が、地図画像のうち移動物体の現在位置が含まれる部分を表示画像取得手段に取得させ、その取得した画像を前記表示画像における合成用領域以外の領域へ合成することにより表示画像を新たに生成することが考えられる(請求項７)。（ヘ）また、合成用画像取得手段によって取得された合成用画像が当該画像合成装置を携帯または搭載する移動物体の現在位置を含む地図情報を示す地図画像の一部である場合において合成用画像に移動物体の現在位置が含まれないときには、表示画像生成手段が、地図画像のうち移動物体の現在位置が含まれる部分を合成用画像取得手段によって合成用画像として再取得させ、その再取得した合成用画像を表示画像に設定された合成用領域へ合成することにより表示画像を新たに生成することが考えられる(請求項８）。
【００２０】
なお、当該画像合成装置が、ディスプレイ装置やナビゲーション装置の一部である場合には、ディスプレイ装置やナビゲーション装置にて上述の（ホ）・（ヘ）の処理を実行してもよい。
【００２１】
このようにすれば、当該画像合成装置を携帯または搭載する移動物体の現在位置を含む道路地図を表示させる場合において移動物体が移動することにより移動物体の現在位置が表示画面から外れた場合でも移動物体の現在位置が表示画面に含まれるよう調整することができる。
【００２２】
なお、上述のように画像合成装置における表示画像生成手段によって合成された表示画像については、ディスプレイ装置にて表示させることが考えられる。すなわち、請求項９に係るディスプレイ装置は、請求項１〜請求項８の何れかに記載の画像合成装置における各手段と、上述の画像合成装置における表示画像生成手段によって生成された表示画像を表示可能な画像表示手段（１１）と、表示画像生成手段によって生成された表示画像を画像表示手段に表示させる画像表示制御手段（９）と、を備えることを特徴とする。
【００２３】
ところで、例えばディスプレイ装置が搭載された車両が走行中である場合には、カーオーディオの操作メニュー画面を表示すると、車両の周囲状況によってオーディオの音量を増減させるなどにより運転者の利便性が高まる可能性がある。
【００２４】
そこで、車両の走行状態に応じて分割表示モードと非分割表示モードとを切り替えるよう構成することが考えられる。具体的には、請求項１０のように、当該ディスプレイ装置が搭載された車両の状況を取得可能な車両状況取得手段（９）を備え、画像表示制御手段が、上述の車両状況取得手段によって取得された車両状況に基づいて、分割表示モードと非分割表示モードとの間で表示モードを切り替え可能に構成されていることが考えられる。ここで、分割表示モードとは、上述の表示画像生成手段によって合成された表示画像を画像表示手段に表示させる表示モードを云う。また、非分割表示モードとは、合成用画像を合成する以前の表示画像を単独で画像表示手段に表示させる表示モードを云う。
【００２５】
一例を挙げると、（ト）現在位置から目的地への経路を含む道路地図が表示されている場合において、ディスプレイ装置が搭載された車両が停車状態から走行状態となったときには、上述の道路地図を単独で画像表示手段に表示させ、一方、車両が走行状態から停車状態となったときには、上述のカーオーディオの操作メニュー画面や当該ディスプレイ装置の操作メニュー画面、経路を含む道路地図、テレビジョン放送などの複数の画像を合成した表示画像などを画像表示手段に表示させるといった具合である。（チ）また、オーディオ装置からの操作メニュー画面が表示されている場合において、ＣＤプレーヤーが再生を開始したときなどには、オーディオ装置からの操作メニュー画面を単独で画像表示手段に表示させ、その後一定時間経過したときには、上述のカーオーディオの操作メニュー画面や当該ディスプレイ装置の操作メニュー画面、経路を含む道路地図、テレビジョン放送などの複数の画像を合成した表示画像などを画像表示手段に表示させるといった具合である。
【００２６】
このようにすれば、車両の走行状態に応じて分割表示モードと非分割表示モードとを自動的に切り替えることができ、ユーザの利便性を向上させることができる。
また、本発明は、ナビゲーションシステムとしても実現することができる。すなわち、請求項１１に係るナビゲーションシステムは、請求項１〜請求項８の何れかに記載の画像合成装置における各手段と、現在位置を特定する位置特定手段と、地図データを取得可能な地図データ取得手段と、目的地を設定する目的地設定手段と、位置特定手段によって特定された現在位置から目的地設定手段によって設定された目的地へ向かう経路を、地図データ取得手段によって取得された地図データに基づいて計算する経路計算手段と、経路計算手段によって計算された経路を案内する経路案内手段と、を備え、上述の画像合成装置における表示画像生成手段が、経路計算手段によって計算された経路を含む道路地図を示す地図画像を、表示画像または合成用画像の何れかとして表示画像生成に利用することを特徴とする。
【発明を実施するための最良の形態】
【００２７】
以下、本発明が適用された実施例について図面を用いて説明する。なお、本発明の実施の形態は、下記の実施例に何ら限定されることなく、本発明の技術的範囲に属する限り種々の形態を採りうる。
【００２８】
図１（ａ）は、実施例のディスプレイ装置の構成を表す構成図である。また、図１（ｂ）は、画像処理部５が備える２つのＶＩＤＥＯ−ＲＡＭを示す説明図であり、図２はディスプレイ装置の表示例を示す説明図であり、図３はディスプレイ装置と他の機器との間におけるメッセージ・画像信号のシーケンスを示す説明図である。
【００２９】
［ディスプレイ装置１などの構成の説明］
図１（ａ）に示すように、ディスプレイ装置１は、画像取得部３、画像処理部５、スイッチ部７、これらに接続された制御部９、制御部９に接続された表示部１１を備えている。なお、制御部９は通常のコンピュータとして構成されており、内部には周知のＣＰＵ、ＲＯＭ、ＲＡＭ、Ｉ／Ｏ及びこれらの構成を接続するバスラインが備えられている。
【００３０】
また、ディスプレイ装置１には、ＴＶチューナー装置２０、ナビゲーション装置３０、ＤＶＤ再生装置４０、およびオーディオ装置５０が車内ＬＡＮを介して接続されており、各種情報を互いに送受信可能である（図３参照)。このうちナビゲーション装置３０は、位置特定手段としての位置検出器、地図データ取得手段としての地図データ入力器、操作スイッチ群、これらに接続された目的地設定手段・経路計算手段としての制御回路、制御回路に接続された外部メモリ、表示装置及びリモコンセンサ（何れも図示省略）を備えている。
【００３１】
なお、上述のＴＶチューナー装置２０、ナビゲーション装置３０、ＤＶＤ再生装置４０、およびオーディオ装置５０については、公知技術に従っているのでここでは詳細な説明は省略する。
【００３２】
［画像取得部３の構成の説明］
画像取得部３は、ＴＶチューナー装置２０、ナビゲーション装置３０、ＤＶＤ再生装置４０、およびオーディオ装置５０から車内ＬＡＮを介して画像信号を取得し、その取得した画像信号を画像処理部５に送信する機能を有している。また、画像取得部３は、上述の画像信号がアナログ信号である場合には、そのアナログ信号をデジタル化して画像処理部５に送信する機能を有している。
【００３３】
［スイッチ部７の構成の説明］
スイッチ部７は、例えば表示部１１と一体になったタッチスイッチ、およびメカニカルなスイッチ群が用いられ、各種入力に使用される。このスイッチ部７は、合成用領域情報を取得することができる。ここで、「合成用領域情報」とは、ユーザが所望する任意な形状の合成用画像を合成するための合成用領域を表示画像上に特定する情報を云い、例えば表示部１１の表示画面を２分割する任意の境界線を示す情報や、表示部１１の表示画面上に設定された例えば三角形や矩形などの多角形や、円形、楕円などの任意な形状の図形を示す情報などである。なお、スイッチ部７は合成用領域情報取得手段に該当する。
【００３４】
［表示部１１の構成の説明］
表示部１１はカラー表示装置であり、表示部１１の画面には複数の画像と、タッチスイッチ等の付加データとを重ねて表示することができる。なお、表示部１１は画像表示手段に該当する。
【００３５】
［画像処理部５の構成の説明］
画像処理部５は、２つのＶＩＤＥＯ−ＲＡＭ１３（図１（ｂ）参照）を有しており、これらＶＩＤＥＯ−ＲＡＭ１３のうちの一つを、当該ディスプレイ装置１のメニュー画面をデジタルデータとして描画するレイヤＡとして利用し、他方のＶＩＤＥＯ−ＲＡＭ１３を、画像取得部３によって取得された他の機器の画像をデジタルデータとして描画するレイヤＢとして利用する。なお、本実施例では、ナビゲーション装置３０から送信された地図画像をレイヤＢとしている。このうちレイヤＡについては、レイヤＢに対して上層側に仮想的に位置する。なお、画像処理部５が有するＶＩＤＥＯ−ＲＡＭ１３の数量については２つに限られず、本ディスプレイ装置１に接続される他の機器の数量に応じて増設してもよい。
【００３６】
また、画像処理部５は、次のような表示画像を新たに生成する機能を有する。すなわち、画像処理部５は、レイヤＡに描画された画像から、表示部１１に表示させる表示画像を取得し、スイッチ部７から入力された合成用領域情報に基づき、合成用領域および合成用領域以外の領域を表示画像に設定する（図２(ｂ)参照）。具体的には、画像処理部５は、合成用領域を構成する各ドットを透過状態とし、合成用領域以外の領域を構成する各ドットを表示状態とする。さらに、画像処理部５は、表示画像に設定された合成用領域へ合成するための合成用画像をレイヤＢに描画された画像から取得する（図２(ｃ)参照）。そして、画像処理部５は、表示画像に設定された合成用領域へ合成用画像を合成することにより新たな表示画像を生成する（図２(ａ)参照）。具体的には、画像処理部５は、表示画像と合成用画像とを合成用画像が下方に位置するよう仮想的に重ね合わせる。そして、画像処理部５は、各画像についてドットごとに表示状態か透過状態かを判断し、表示状態であるドットを採用した新たな表示画像を生成する。
【００３７】
なお、画像処理部５は、表示画像取得手段、合成用画像取得手段、合成用領域設定手段および表示画像生成手段に該当する。
［制御部９の構成の説明］
制御部９は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ及びＲＡＭに記憶されたプログラムに基づいて、画像処理部５によって生成された新たな表示画像を表示部１１に表示させる画像表示処理を行う。
【００３８】
また、制御部９は、図３に例示するように、ＴＶチューナー装置２０、ナビゲーション装置３０、ＤＶＤ再生装置４０、およびオーディオ装置５０との間で各種情報を送受信可能に構成されている。一例を挙げると、制御部９は、図示しないアクセサリ電源がオンとなりディスプレイ装置１に電源供給された場合には、例えばＴＶチューナー装置２０などの他の機器に対し、車内ＬＡＮを介して登録要求信号を送信する。この登録要求信号に対して、他の機器から登録応答信号が送信された場合には、以後その機器との間で各種信号を送受信することが可能となる。
【００３９】
さらに、制御部９は、スイッチ部７から入力された指示に基づいて、分割表示モードと非分割表示モードとの間で表示モードを切り替えることができる。ここで、「分割表示モード」とは、画像処理部５によって生成された新たな表示画像を表示部１１に表示させる表示モードを云い（図１０（ａ）参照）、また、非分割表示モードとは、合成用画像が合成されていない状態の表示画像または合成用画像を単独で表示部１１に表示させる表示モードを云う（図１０（ｂ）参照）。なお、制御部９は、画像表示制御手段に該当する。
【００４０】
［画面分割処理の説明］
次に、ディスプレイ装置１の画像処理部５および制御部９が実行する画面分割処理を、図４、および図５〜図９のフローチャートを参照して説明する。なお、図４は画面分割処理を説明する説明図である。
【００４１】
本処理は、図示しないアクセサリ電源がオンとなりディスプレイ装置１に電源供給された場合において、例えばＴＶチューナー装置２０などの他の機器からの画像やディスプレイ装置１のメニュー画面などを表示しているときに、ユーザによるスイッチ部７の操作により実行される。
【００４２】
まず、最初のステップＳ１１０では、表示部１１の表示画面を分割するための形状を特定する。具体的には、図６のＳ１１０におけるサブルーチンに示すように、制御部９が、例えば直線や矩形などの表示画面を分割する形状を示す図形を表示部１１に表示させるとともに、その図形を触れるよう促す旨のメッセージを表示部１１に表示させる（Ｓ１１０５）。また、制御部９が、上述のように表示させた図形をタッチスイッチとして登録する（Ｓ１１１０）。
【００４３】
続くＳ１１１５では、制御部９が、タッチスイッチとしての図形が触れられたか否かを判断することにより、表示画面を分割するための形状が選択されたか否かを判断する。タッチスイッチとしての図形が触れられたと判断した場合には（Ｓ１１１５：Ｙ）、その触れられたタッチスイッチとしての図形を、表示画面を分割するための形状とし、後述するＳ１６０において表示画像を表示する際の表示モードを分割表示モードとする（Ｓ１１２０）。そして、Ｓ１１２５に移行する。
【００４４】
Ｓ１１２５では、制御部９が、先のＳ１１０５にて表示部１１に表示させた図形およびメッセージを表示画面から削除させる。続くＳ１１３０では、制御部９が、先のＳ１１１０にて登録したタッチスイッチについて、その登録内容を消去し（Ｓ１１３０）、本サブルーチンを終了して図５のＳ１２０（後述）に移行する。
【００４５】
一方、先のＳ１１１５においてタッチスイッチとしての図形が触れられていないと判断した場合には（Ｓ１１１５：Ｎ）、制御部９が、表示画面を分割するための形状が選択されていないと判断してＳ１１３５に移行する。
【００４６】
Ｓ１１３５では、制御部９が、単独で表示するための画像が選択されたか否かを判断する。画像が選択されている場合には（Ｓ１１３５：Ｙ）、制御部９が、後述するＳ１６０においてその選択された画像を表示する際の表示モードを非分割表示モードとし（Ｓ１１４０）、制御部９が、先のＳ１１０５にて表示部１１に表示させた図形およびメッセージを表示画面から削除させるとともに、先のＳ１１１０にて登録したタッチスイッチについてその登録内容を消去する（Ｓ１１４５、Ｓ１１５０）。そして、本サブルーチンを終了し、この場合は図５のＳ１２０およびＳ１３０を実行せずにＳ１４０（後述）に移行する。一方、単独で表示するための画像が選択されていない場合には（Ｓ１１３５：Ｎ）、Ｓ１１１５に戻りＳ１１１５以下のステップを繰り返し実行する。
【００４７】
Ｓ１２０では、表示画面を分割するための境界線の位置を特定する。具体的には、図７のＳ１２０におけるサブルーチンに示すように、制御部９が、表示画面を分割するための境界線の位置を入力するよう促す旨のメッセージを表示部１１に表示させ（Ｓ１２０５）、初回入力完了フラグをオフとする（Ｓ１２１０）。
【００４８】
続くＳ１２１５では、制御部９が、初回入力完了フラグを参照して初回入力か否かを判断する。初回入力完了フラグがオフである場合には（Ｓ１２１５：Ｙ）、初回入力と判断してＳ１２２０に移行する。
【００４９】
Ｓ１２２０では、制御部９が、ユーザによって表示画面が触れられたか否かを判断する。表示画面が触れられていないと判断した場合には（Ｓ１２２０：Ｎ）、本ステップＳ１２２０を繰り返し実行することにより、ユーザによって表示画面が触れられるまで待機する。一方、表示画面が触れられたと判断した場合には（Ｓ１２２０：Ｙ）、その触れられた点を検出し、その検出した点の座標を始点座標として記憶する（Ｓ１２２５、図４参照）。
【００５０】
続くＳ１２３０では、制御部９が初回入力完了フラグをオンとし、上述のＳ１２１５に移行する。
また、先のＳ１２１５において、初回入力完了フラグがオンである場合には（Ｓ１２１５：Ｎ）、初回入力ではなく２回目の入力と判断してＳ１２３５に移行する。
【００５１】
Ｓ１２３５では、制御部９が、表示画面からユーザの指などが離れたか否かを判断する。表示画面にユーザの指などが触れたままと判断した場合には（Ｓ１２３５：Ｎ）、本ステップＳ１２３５を繰り返し実行することにより表示画面からユーザの指などが離れるまで待機する。一方、表示画面からユーザの指などが離れたと判断した場合には（Ｓ１２３５：Ｙ）、制御部９が、表示画面からユーザの指などが離れた点を検出し、その検出した点の座標を終点座標として記憶する（Ｓ１２４０、図４参照）。
【００５２】
続くＳ１２４５では、制御部９が、先のＳ１２２５にて記憶した始点座標と先のＳ１２４０にて記憶した終点座標とを結ぶ線分を算出し、その算出した線分を表示部１１の表示画面の端まで延長した線分を、表示画面を分割するための境界線とする(図４参照)。そして、Ｓ１２５０に移行する。
【００５３】
Ｓ１２５０では、制御部９が、先のＳ１２０５にて表示させたメッセージを表示画面から削除させる。そして、本サブルーチンを終了して図５のＳ１３０に移行する。
Ｓ１３０では、先のＳ１２４５にて算出した境界線によって分割された表示画面のうち表示したままとする領域を特定する。具体的には、図８のＳ１３０におけるサブルーチンに示すように、制御部９が、表示したままとする領域を選択するよう促す旨のメッセージを表示部１１に表示させる（Ｓ１３１０）。
【００５４】
Ｓ１３２０では、制御部９が、ユーザによって表示画面が触れられたか否かを判断する。表示画面が触れられていないと判断した場合には（Ｓ１３２０：Ｎ）、本ステップＳ１３２０を繰り返し実行することにより表示画面が触れられるまで待機する。一方、表示画面が触れられたと判断した場合には（Ｓ１３２０：Ｙ）、制御部９がその触れられた点を検出し、その検出した点の座標を、そのまま表示させる画面を選択するための点の座標として記憶する（Ｓ１３３０）。
【００５５】
続くＳ１３４０では、制御部９が、先のＳ１３３０にて記憶した点の座標が属する領域を、表示したままとする表示領域として特定する(図４参照)。
続くＳ１３５０では、制御部９が、先のＳ１３１０にて表示させたメッセージを表示画面から削除させる。そして、本サブルーチンを終了して図５のＳ１４０に移行する。
【００５６】
なお、本Ｓ１３０では、他の画像を合成するための領域(合成用領域)を特定することにより、上述の「表示したままとする領域」を特定するようにしてもよい。
Ｓ１４０では、先のＳ１２０にて算出された境界線に関する情報、および先のＳ１３０にて特定された、そのまま表示させる領域に属する点座標に関する情報に基づいて、表示部１１の表示画面に表示させる表示画像を生成する。具体的には、画像処理部５が、表示部１１に表示させる表示画像をレイヤＡに描画された画像から取得し、スイッチ部７から入力された上述の各種情報（合成用領域情報）に基づき、そのまま表示させる領域および合成用領域を表示画像に設定する（図２(ｂ)参照）。さらに、画像処理部５が、表示画像に設定された合成用領域へ合成するための合成用画像をレイヤＢに描画された画像から取得する（図２(ｃ)参照）。そして、画像処理部５が、表示画像に設定された合成用領域へ合成用画像を合成することにより新たな表示画像を生成する（図２(ａ)参照）。
【００５７】
なお、先のＳ１１４０において、選択された表示画面を単独で表示することとした場合には（非分割表示モード、図１０（ｂ）参照）、その選択された表示画面をそのまま表示画像とする。
【００５８】
続くＳ１５０では、ナビゲーション装置３０から送信された地図画像の一部である合成用画像を表示する位置を調整する。具体的には、図９のＳ１５０におけるサブルーチンに示すように、制御部９が、合成用画像内に車両の現在位置が存在するか否かを判断する。合成用画像内に車両の現在位置が存在すると判断した場合には（Ｓ１５１０：Ｙ）、本サブルーチンを終了して図５のＳ１６０に移行する。
【００５９】
一方、合成用画像内に車両の現在位置が存在しないと判断した場合には（Ｓ１５１０：Ｎ、図１２（ａ）参照）、画像処理部５が、合成用領域の中心点を算出する（Ｓ１５２０）。次に、画像処理部５が、上述の地図画像における車両の現在位置と、先のＳ１５２０にて算出された合成用領域の中心点とが一致するような画像を、レイヤＢに描画された画像から合成用画像として取得する（Ｓ１５３０）。そして、画像処理部５が、再取得した合成用画像を表示画像における合成用領域へ合成することにより表示画像を新たに生成する（Ｓ１５４０、図１２（ｂ）参照）。
【００６０】
そして、本サブルーチンを終了して図５のＳ１６０に移行する。
Ｓ１６０では、制御部９が、表示画像を表示部１１に表示させる（図１０（ａ）および図１０（ｂ）参照）。そして、本処理を終了する。
【００６１】
［効果］
このように実施例のディスプレイ装置１によれば、次のような効果を奏する。すなわち、従来のナビゲーション装置では、複数の画像を一つの表示画面に表示する場合には、モニタにおける表示画面を左右や上下などに２分割していたため、例えば分割された表示画面の一方にナビゲーション装置のメニュー画面を表示し、他方に道路地図を表示する際には、現在位置と目的地とを結ぶ経路の細部など、分割後の表示画面に表示した画像の細部が確認しにくくなるといった問題があった。これに対して実施例のディスプレイ装置１によれば、表示部１１に表示させる表示画像をレイヤＡに描画された画像から取得し、スイッチ部７から入力された合成用領域情報に基づき、そのまま表示させる領域および合成用領域を表示画像に設定するともに、表示画像に設定された合成用領域へ合成するための合成用画像をレイヤＢに描画された画像から取得し、表示画像に設定された合成用領域へ合成用画像を合成することにより新たな表示画像を生成する（Ｓ１４０）。つまり、複数の画像を一つの表示画面に表示する場合には予め設定された形態ではなくユーザが所望する形態で表示画面を分割するので、上述のように生成した表示画像を表示部１１に表示させれば（Ｓ１６０）、例えば現在位置と目的地とを結ぶ経路の細部などのユーザが表示させたい対象に合わせて表示画面を分割でき、分割された表示画面に表示された画像の細部が確認しやすくなることが期待できる。
【００６２】
また、実施例のディスプレイ装置１によれば、画面分割処理におけるＳ１５０において、ナビゲーション装置３０から送信された地図画像の一部である合成用画像内に車両の現在位置が存在しないと判断した場合には、車両の現在位置が含まれる画像をレイヤＢに描画された画像から合成用画像として取得し、その取得した合成用画像を表示画像における合成用領域へ合成することにより表示画像を新たに生成するので、当該ディスプレイ装置１が搭載された車両の現在位置を含む道路地図を表示させる場合において車両が走行することにより車両の現在位置が表示画面から外れた場合でも車両の現在位置が表示されるようにすることができる。
【００６３】
［別実施例］
（１）上記実施例では、ディスプレイ装置１が上述の画面分割処理を実行するよう構成しているが、これには限られず、画面分割処理のみを実行する専用装置として構成してもよい。なお、この場合の専用装置は、特許請求の範囲における「画像合成装置」に該当する。
【００６４】
また、例えばナビゲーション装置３０やＤＶＤ再生装置４０、携帯電話などの通信機などの移動物体（人や車両など）に携帯または搭載される装置の各構成を利用することにより上述の画面分割処理を実現するよう構成してもよい。一例を挙げると、ディスプレイ装置１およびナビゲーション装置３０を備えるナビゲーションシステム１００において、ナビゲーション装置３０の制御回路が、車両の現在位置から目的地までの経路を含む道路地図を示す地図画像を表示画像または合成用画像の何れかとして表示画像生成に利用するといった具合である。
【００６５】
（２）上記実施例では、画像取得部３がアナログ信号およびデジタル信号の双方に対応するよう構成されているが、これには限られず、画像取得部３をアナログ信号またはデジタル信号の何れか一方にのみ対応するよう構成してもよい。また、画像取得部３によって取得される画像については、例えば静止画像でもよいし、動画でもよい。
【００６６】
（３）上記実施例では、画像処理部５が、画像取得部３によって外部から取得された画像をＶＩＤＥＯ−ＲＡＭ１３に記憶させておき、必要に応じて読み出して利用しているが、これには限られず、画像処理部５が、取得した画像をＶＩＤＥＯ−ＲＡＭ１３には記憶させずにそのまま利用するようにしてもよい。このようにしても上記実施例と同様の作用効果を奏する。
【００６７】
（４）上記実施例では、画面分割処理のＳ１２０において、表示画面を分割するための境界線の位置を特定する際には、表示画面にユーザの指などが触れた点を始点とし、表示画面からユーザの指などが離れた点を終点としているが、これには限られず、表示画面にユーザの指などが別々に触れた２点を始点および終点としてもよい。
【００６８】
（５）上記実施例の画面分割処理では、表示部１１の表示画面を分割するための分割形状および境界線に関する情報をユーザによるスイッチ部７の操作によって取得しているが（Ｓ１１０、Ｓ１２０）、これには限られず、上述のような分割形状および境界線に関する情報を予め記憶しておき、ユーザによるスイッチ部７を介するユーザからの指示に基づいて、必要に応じて読み出して利用するようにしてもよい。このようにすれば、従来のナビゲーション装置のようにモニタにおける表示画面を左右や上下などに画一的に２分割するのとは異なり、ユーザに選択肢を提示することによりユーザが所望する形態で表示画面を分割するので、上記実施例と同様の作用効果を奏する。
【００６９】
（６）上述のように２つに分割された表示画面に、例えばナビゲーション装置３０のメニュー画面、および現在位置から目的地までの経路を含む道路地図をそれぞれ表示させている場合において、例えばエアコンの設定を変更するためにエアコンのメニュー画面など他の画面を表示させたいときがある。このようなときには、上述のナビゲーション装置３０のメニュー画面または目的地までの経路を含む道路地図の何れかを消去してエアコンのメニュー画面を表示させる必要がある。そこで、上記実施例の画面分割処理によって表示部１１の表示画面を分割した後に、さらに上述の画面分割処理を実行することにより表示画面の分割後に画像を追加するようにしてもよい。
【００７０】
（６−１）なおこの場合、新たに取得した合成用画像を合成用領域へ一律的に合成してもよい。
また、新たに取得した合成用画像を合成用領域へ一律的に合成する代わりに、次のようにしてもよい。
【００７１】
（６−２）表示画像に設定された合成用領域のうち過去に合成用画像が合成された部分に合成するための合成用画像を、その過去に合成された合成用画像の次に表示画像に合成された合成用画像を含む画像から取得してもよい。
【００７２】
（６−３）表示画像に設定された合成用領域のうち過去に合成用画像が合成されていない部分に合成するための合成用画像を、表示画像に最初に合成された合成用画像を含む画像から取得してもよい。
【００７３】
このようにすれば、必要に応じて表示画面の分割数を増加させることによってそれまで表示していた画面を消去することなく新たな画面を追加表示することができ、ユーザの利便性を向上させることができる。
【００７４】
（７）上記実施例の画面分割処理では、Ｓ１１０において、画像処理部５によって生成された表示画像を表示する「分割表示モード」（図１０（ａ）参照）と、合成用画像を合成する以前の表示画像を単独で表示する「非分割表示モード」（図１０（ｂ）参照）とをユーザからの指示に基づいて切り替えているが、これには限られず、例えば車両の走行状態に応じて、分割表示モードと非分割表示モードとを自動的に切り替えるよう構成してもよい。具体的には、図１１のフローチャートに示すような「表示モード切替処理」を実行することにより、例えば車両の走行状態に応じて、分割表示モードと非分割表示モードとを切り替える。本処理は、図示しないアクセサリ電源がオンとなりディスプレイ装置１に電源供給された場合において、例えばＴＶチューナー装置２０などディスプレイ装置に接続されている機器からの画像やディスプレイ装置１のメニュー画面などを表示しているときに、ユーザによるスイッチ部７の操作などにより実行される。
【００７５】
まず、最初のステップＳ２０５では、制御部９が、当該ディスプレイ装置１が搭載された車両が走行状態であるか否かを、例えばナビゲーション装置３０の車速センサからの出力信号などに基づいて判断する。車両が走行状態であると判断した場合には（Ｓ２０５：Ｙ）、Ｓ２１０に移行する。
【００７６】
Ｓ２１０では、制御部９が、分割表示モードであるか否かを判断する。分割表示モードではなく非分割表示モードであると判断した場合には（Ｓ２１０：Ｎ）、そのまま本処理を終了する。一方、分割表示モードであると判断した場合には（Ｓ２１０：Ｙ）、Ｓ２１５に移行する。
【００７７】
Ｓ２１５では、制御部９が、表示部１１に表示させている画像の中にナビゲーション装置３０から送信された画像が含まれているか否かを判断する。ナビゲーション装置３０から送信された画像が含まれていないと判断した場合には（Ｓ２１５：Ｎ）、そのまま本処理を終了する。一方、ナビゲーション装置３０から送信された画像が含まれていると判断した場合には（Ｓ２１５：Ｙ）、Ｓ２２０に移行する。
【００７８】
Ｓ２２０では、制御部９が、そのナビゲーション装置３０から送信された画像を単独で表示部１１に表示させることにより、表示モードを分割表示モードから非分割表示モードに変更する。そして、本処理を終了する。
【００７９】
一方、上述のＳ２０５において、車両が走行状態ではなく停止状態であると判断した場合には（Ｓ２０５：Ｎ）、Ｓ２２５に移行する。
Ｓ２２５では、制御部９が、画面分割処理により、合成用画像が合成された状態の表示画像が生成されているか否かを判断する。合成用画像が合成された状態の表示画像が生成されていないと判断した場合には（Ｓ２２５：Ｎ）、そのまま本処理を終了する。一方、合成用画像が合成された状態の表示画像が生成されていると判断した場合には（Ｓ２２５：Ｙ）、Ｓ２３０に移行する。
【００８０】
Ｓ２３０では、制御部９が、表示部１１に表示させている画像の中にナビゲーション装置３０から送信された画像が含まれているか否かを判断する。ナビゲーション装置３０から送信された画像が含まれていないと判断した場合には（Ｓ２３０：Ｎ）、そのまま本処理を終了する。一方、ナビゲーション装置３０から送信された画像が含まれていると判断した場合には（Ｓ２３０：Ｙ）、Ｓ２３５に移行する。
【００８１】
Ｓ２３５では、制御部９が、そのナビゲーション装置３０から送信された画像を含む表示画像を表示部１１に表示させることにより、表示モードを非分割表示モードから分割表示モードに変更する。そして、本処理を終了する。
【００８２】
なお、本処理において、制御部９は車両状況取得手段に該当する。
（７−１）一例を挙げると、現在位置から目的地への経路を含む道路地図が表示されている場合において、例えば車速センサなどの当該ディスプレイ装置１が搭載された車両の速度を検出する手段からの出力信号を取得し、その取得した出力信号に基づいて車両の走行状態を判断する。車両が停車状態から走行状態となったときには、例えば道路地図を単独で表示部１１に表示させる（非分割表示モード）。一方、車両が走行状態から停車状態となったときには、オーディオ装置５０の操作メニュー画面や当該ディスプレイ装置１の操作メニュー画面、経路を含む道路地図、ＴＶチューナー装置２０のメニュー画面などの複数の画像を合成した表示画像などを表示部１１に表示させる（分割表示モード）。
【００８３】
（７−２）また、オーディオ装置５０からの操作メニュー画面を含めた複数の画像が一つの表示画面で表示されている場合において、ＣＤプレーヤーが再生を開始したときなどには、オーディオ装置５０からの操作メニュー画面を単独で表示部１１に表示させる（非分割表示モード）。その後、例えば制御部９が内蔵する計時手段などによって一定時間経過したときには、上述のオーディオ装置５０の操作メニュー画面などの複数の画像を合成した表示画像を表示部１１に表示させる（分割表示モード）。
【００８４】
このようにすれば、車両の走行状態に応じて分割表示モードと非分割表示モードとを自動的に切り替えることができ、ユーザの利便性をさらに向上させることができる。
（８）また、ナビゲーション装置３０から送信された地図画像がレイヤＡに描画されている場合において、表示画像に車両の現在位置が存在しないとき、すなわち、表示画像における合成用領域以外の領域に車両の現在位置が存在しないときには、画像処理部５が次のような処理を実行することが考えられる。すなわち、画像処理部５が、合成用領域以外の領域の中心点を算出する。次に、画像処理部５が、上述の地図画像における車両の現在位置と合成用領域以外の領域の中心点とが一致するような画像を、レイヤＡに描画された画像から取得する。そして、画像処理部５が、取得した画像を表示画像における合成用領域以外の領域へ合成することにより表示画像を新たに生成する（図１３（ｂ）参照）。
【００８５】
なお、上述のような処理については、ディスプレイ装置１からナビゲーション装置３０に対して通知された表示領域の形状や配置、四隅の座標等の情報に基づき、ナビゲーション装置３０の制御回路にて行うようにしてもよい。
【００８６】
このようにすれば、車両が移動することにより表示画像に車両の現在位置が存在しないときでも、車両の現在位置を表示されるようにすることができる。
（９）ところで、例えばテレビ画面を表示画面に表示させている場合において、オーディオの音量を変更するために表示画面への表示内容をテレビ画面からオーディオのメニュー画面へ変更させたいときがある。そこで、図１５のフローチャートに示すような表示対象画像変更処理により、表示する合成用画像をユーザの指示により変更可能にしてもよい。なお、本処理は、図示しないアクセサリ電源がオンとなりディスプレイ装置１に電源供給された場合において、例えばＴＶチューナー装置２０などディスプレイ装置に接続されている機器からの画像やディスプレイ装置１のメニュー画面などを表示しているときに、ユーザによるスイッチ部７の操作などにより実行される。
【００８７】
まず、最初のステップＳ３１０では、制御部９が、表示内容を変更したい領域を選択するよう促す旨のメッセージを表示部１１に表示させる。
続くＳ３２０では、制御部９が、ユーザによって表示画面が触れられたか否かを判断する。表示画面が触れられていないと判断した場合には（Ｓ３２０：Ｎ）、本ステップＳ３２０を繰り返し実行することにより表示画面が触れられるまで待機する。一方、表示画面が触れられたと判断した場合には（Ｓ３２０：Ｙ、図１４参照）、制御部９が、その触れられた点が属する領域を、表示内容を変更したい領域として特定し、そして、制御部９が、先の３１０にて表示させたメッセージを表示画面から削除させる。
【００８８】
続くＳ３３０では、制御部９が、表示させたい画像を入力するよう促す旨のメッセージを表示部１１に表示させる。
続くＳ３４０では、制御部９が、ユーザによって表示させたい画像が入力されたか否かを判断する。入力されていないと判断した場合には（Ｓ３４０：Ｎ）、本ステップＳ３４０を繰り返し実行することにより入力されるまで待機する。一方、入力されたと判断した場合には（Ｓ３４０：Ｙ）、その画像を上述の表示内容を変更したい領域へ合成するための合成用画像とし、Ｓ３５０に移行する。
【００８９】
Ｓ３５０では、画像処理部５が、上述の表示内容を変更したい領域へ合成するための合成用画像をレイヤＣ（図示省略）に描画された画像などから取得する。
続くＳ３６０では、画像処理部５が、上述の表示内容を変更したい領域へ合成用画像を合成することにより新たな表示画像を生成し、制御部９が、先のＳ３３０にて表示させたメッセージを表示画面から削除させる。そして、本処理を終了する。
【００９０】
このようにすれば、表示画面への表示内容を変更することができ、ユーザの利便性を向上させることができる。
【図面の簡単な説明】
【００９１】
【図１】（ａ）は実施例のディスプレイ装置の全体構成、およびディスプレイ装置に接続されたＴＶチューナー装置、ナビゲーション装置、ＤＶＤ再生装置、およびオーディオ装置を表すブロック図であり、（ｂ）は画像処理部が備える２つのＶＩＤＥＯ−ＲＡＭを示す説明図である。
【図２】ディスプレイ装置の表示例を示す説明図であり、（ａ）はディスプレイ装置のメニュー画面とナビゲーション装置の地図画面とを同時に表示した例であり、（ｂ）はディスプレイ装置のメニュー画面の表示例であり、（ｃ）はナビゲーション装置の地図画面の表示例である。
【図３】ディスプレイ装置と他の機器との間におけるメッセージ・画像信号のシーケンスを示す説明図である。
【図４】画面分割処理を説明する説明図である。
【図５】画面分割処理を示すフローチャートである。
【図６】画面分割処理のＳ１１０のサブルーチンを示すフローチャートである。
【図７】画面分割処理のＳ１２０のサブルーチンを示すフローチャートである。
【図８】画面分割処理のＳ１３０のサブルーチンを示すフローチャートである。
【図９】画面分割処理のＳ１５０のサブルーチンを示すフローチャートである。
【図１０】（ａ）は「分割表示モード」による表示例であり、（ｂ）は非分割表示モードによる表示例である。
【図１１】表示モード切替処理を示すフローチャートである。
【図１２】（ａ）はＳ１５０のサブルーチンの処理内容を示す説明図（１）であり、（ｂ）はＳ１５０のサブルーチンの処理内容を示す説明図（２）である。
【図１３】（ａ）はＳ１５０のサブルーチンの別実施例の処理内容を示す説明図（１）であり、（ｂ）はＳ１５０のサブルーチンの別実施例の処理内容を示す説明図（２）である。
【図１４】表示対象画像変更処理の表示例を示す説明図である。
【図１５】表示対象画像変更処理を示すフローチャートである。
【符号の説明】
【００９２】
１・・・ディスプレイ装置、３・・・画像取得部、５・・・画像処理部、７・・・スイッチ部、９・・・制御部、１１・・・表示部、１３・・・ＶＩＤＥＯ−ＲＡＭ、２０・・・ＴＶチューナー装置、３０・・・ナビゲーション装置、４０・・・ＤＶＤ再生装置、５０・・・オーディオ装置、１００・・・ナビゲーションシステム
【図１】
2006039953.tif 000003
【図２】
2006039953.tif 000004
【図４】
2006039953.tif 000005
【図５】
2006039953.tif 000006
【図６】
2006039953.tif 000007
【図７】
2006039953.tif 000008
【図８】
2006039953.tif 000009
【図９】
2006039953.tif 000010
【図１０】
2006039953.tif 000011
【図１１】
2006039953.tif 000012
【図１４】
2006039953.tif 000013
【図１５】
2006039953.tif 000014
【図３】
2006039953.tif 000015
【図１２】
2006039953.tif 000016
【図１３】
2006039953.tif 000017